(57)【特許請求の範囲】
【請求項１】
内部がダムによって仕切られることにより少なくとも１つの酸洗槽が形成された酸洗タンクへ連続的に送り込まれる鋼帯を支持するための酸洗タンクの鋼帯支持装置であって、
前記ダムの上流側または下流側の近傍の位置において、送り込まれる鋼帯をダムに接触しないように支持するためのアイドル回転可能なアイドルロールが所定の高さに配設されてなる酸洗タンクの鋼帯支持装置。
【請求項２】
前記アイドルロールの上端が、前記酸洗タンクの液面から  １０〜４００ｍｍ程度となるように、当該アイドルロールが配設されてなる請求項１記載の鋼帯支持装置。
【請求項３】
内部がダムによって仕切られることにより少なくとも１つの酸洗槽が形成された酸洗タンクへ連続的に送り込まれる鋼帯を支持するための酸洗タンクの鋼帯支持装置であって、
前記ダムの上流側または下流側の近傍の位置において、送り込まれる鋼帯を支持するためのアイドル回転可能なアイドルロールと、
該アイドルロールを昇降させるための昇降機構と、
前記ダムの頂部に配設されたダムスキッドとからなり、
前記昇降機構が、前記アイドルロールを、前記鋼帯がダムスキッドに接触しないように当該鋼帯を支持する第１高さと鋼帯から下方に離間した第２高さとのあいだを往復移動させ、前記第１高さおよび第２高さが前記酸洗タンクの液面からアイドルロール上端までの距離である酸洗タンクの鋼帯支持装置。
【請求項４】
前記第１高さが前記酸洗タンクの液面から１０〜４００ｍｍ程度、前記第２高さが前記酸洗タンクの液面から１００〜１０００ｍｍ程度に設定されてなる請求項３記載の酸洗タンクの鋼帯支持装置。
【発明の詳細な説明】
【０００１】
【発明の属する技術分野】
本発明は酸洗タンクの鋼帯支持装置に関する。さらに詳しくはアイドルロールの耐久性を低下させることなく、鋼帯の浸漬深さを深くして高い酸洗効果をうることができ、しかも構造が簡単で安価な酸洗タンクの鋼帯支持装置に関する。
【０００２】
【従来の技術および発明が解決しようとする課題】
従来より、鋼帯の錆やスケールなどを除去するために酸洗処理が行なわれている。従来の酸洗処理用の酸洗タンクは、連続的な酸洗処理ができるように、図５に示されるように、タンク内部に鋼帯Ｓの進行方向に所定の間隔ごとにダム４１が設けられ、隣接する２基のダム４１にて仕切られた酸洗槽４２には塩酸などの強酸性の洗浄液Ｌが満たされている。
【０００３】
鋼帯Ｓは、酸洗タンク４０の入口および出口側に設けられたブライドルロール（図示せず）により、酸洗タンク４０内に送り込まれ、各酸洗槽４２を通過して、連続的に酸洗処理される。ダム４０の頂部は、鋼帯Ｓとこすれて、摩耗しやすいため、頂部付近には耐酸レンガなどからなるダムスキッド４３が配設されている。
【０００４】
しかし、前記ダムスキッド４３は、常時鋼帯Ｓと接触するため、使用するにつれて摩耗していくが、ダムスキッド４３の全幅（図５の紙面垂直方向の長さ）のうち、鋼帯Ｓとの接触により摩耗するのはそのうちの一部である。とくに、鋼帯Ｓのエッジ部分が通過していく部分が最も摩耗されやすく、この部分では摩耗の少ない箇所とのあいだで段差（以下、段差摩耗部という）が形成されやすい。かかる段差摩耗部が形成されたばあい、鋼帯Ｓが蛇行（図５において紙面垂直方向に往復移動すること）して鋼帯Ｓのエッジが段差摩耗部に衝突したり、さらには乗り越えることがある。このとき段差摩耗部の周辺が破損し、それにより生じる破損片やスキッド表面の破損箇所が鋼帯Ｓの下面にキズを与えるばあいがある。また、ダムスキッド４３が破損しなくても段差摩耗部に乗り上げるだけでも鋼帯Ｓの下面にスリキズが付いたり、鋼帯Ｓの浸漬高さの変動が大きくなって酸洗効果が変動するなどの問題が生じる。
【０００５】
以上のようなダムスキッド上の段差摩耗部によって生じる問題を解決するために、従来より、ダムスキッドの上面または上方に設けられた支持ローラからなる鋼帯支持装置が採用されている。
【０００６】
たとえば、図６に示される実開昭６２−１２２８６５号公報記載の鋼帯支持装置は、鋼帯Ｓがダム４１に接触しないように、ダム４１のほぼ真上に鋼帯Ｓの全幅を支持するアイドルロール４５が設けられたものである。しかし、図６のごとく、ダム４１の上方のアイドルロール４５によって鋼帯Ｓを支持することにより、鋼帯Ｓはアイドルロール４５の大きさまたはそれ以上だけ洗浄液Ｌから浮上して浸漬長さＢはアイドルロール４５がないばあい（図５における浸漬長さＡ）と比較して短くなる。それにより、錆やスケールを落とす能力が低下する。そのため、かかる能力低下を補うために鋼帯Ｓの通板速度を低下させたり、または酸洗タンクを延長（すなわち、ダム４１の間隔を長くする）する必要があるという問題がある。
【０００７】
また、鋼帯Ｓの浮上を小さくするためにアイドルロール４５を小さくすれば、アイドルロール４５の耐久性が低下するため好ましくない。
【０００８】
一方、図７に示される特公平４−６５９０９号公報記載の鋼帯支持装置は、ダムスキッド４３の上面に複数の略半円筒形状の凹部４３ａが形成され、これら凹部４３ａにそれぞれ、小型のアイドルロール４６が回転自在に配設されたものである。しかし、図７のように、ダムスキッド４３上面の限られた場所に複数個のアイドルロール４６を埋設させるためにアイドルロール４６を小型化せざるをえない。かかる小型化に伴ってアイドルロール４６の耐久性が大幅に低下して摩耗や破損が生じやすくなるという問題がある。
【０００９】
しかも、摩耗や破損したアイドルロール４６を操業中であっても新しいものと取替えできるように、凹部４３ａを複雑な構造、すなわち、アイドルロール４６を凹部４３ａに落とし込むことにより装着できるように凹部４３ａの形成方向Ｐを若干鋼帯進行方向Ｑへ傾斜させた構造になっているため、ダムスキッドの製作単加が高価になるという問題がある。
【００１０】
本発明はかかる問題を解消するためになされたものであり、支持ロールの耐久性を低下させることなく、鋼帯の浸漬深さを深くして高い酸洗効果をうることができ、しかも構造簡単で安価な酸洗タンクの鋼帯支持装置を提供することを目的とする。
【００１１】
【課題を解決するための手段】
請求項１記載の酸洗タンクの鋼帯支持装置は、内部がダムによって仕切られることにより少なくとも１つの酸洗槽が形成された酸洗タンクへ連続的に送り込まれる鋼帯を支持するための酸洗タンクの鋼帯支持装置であって、
前記ダムの上流側または下流側の近傍の位置において、送り込まれる鋼帯をダムに接触しないように支持するためのアイドル回転可能なアイドルロールが所定の高さに配設されてなることを特徴とするものである。
【００１２】
前記アイドルロールの上端が、前記酸洗タンクの液面から１０〜４００ｍｍ程度となるように、当該アイドルロールが配設されてなるのが好ましい。
【００１３】
請求項３記載の酸洗タンクの鋼帯支持装置は、内部がダムによって仕切られることにより少なくとも１つの酸洗槽が形成された酸洗タンクへ連続的に送り込まれる鋼帯を支持するための酸洗タンクの鋼帯支持装置であって、
前記ダムの上流側または下流側の近傍の位置において、送り込まれる鋼帯を支持するためのアイドル回転可能なアイドルロールと、
該アイドルロールを昇降させるための昇降機構と、
前記ダムの頂部に配設されたダムスキッドとからなり、
前記昇降機構が、前記アイドルロールを、前記鋼帯がダムスキッドに接触しないように当該鋼帯を支持する第１高さと鋼帯から下方に離間した第２高さとのあいだを往復移動させ、前記第１高さおよび第２高さが前記酸洗タンクの液面からアイドルロール上端までの距離であることを特徴とするものである。
【００１４】
前記第１高さが前記酸洗タンクの液面から１０〜４００ｍｍ程度、前記第２高さが前記酸洗タンクの液面から１００〜１０００ｍｍ程度に設定されてなるのが好ましい。
【００１５】
本発明の酸洗タンクの鋼帯支持装置は、従来のダムスキッドにおける鋼帯との接触による段差摩耗部の形成を抜本的に防止して、段差摩耗部に起因する鋼帯下面のスリ疵の発生を解消することができるものであり、かつ従来技術の欠点である寸法制約からくる耐久性の低下、または酸洗能力の低下を防止することができる構造的に単純で安価な鋼帯の支持装置を提供するものである。
【００１６】
請求項１記載の発明は、鋼帯の走行軌跡が、ダム頂部に接触しないぎりぎりの位置にくるように、ダム近傍にアイドル回転可能なアイドルロールを設けて、アイドルロールで鋼帯を支持するようにしたことを特徴としている。
【００１７】
請求項３記載の発明は、昇降機構によって、アイドルロールの高さを昇降させることによって、鋼帯のサイズおよび品種により走行軌跡を任意に調整したり、また操業中に鋼帯をダム頂部にあるダムスキッドに預けることを可能ならしめたことを特徴とする。とくに、鋼帯の昇降機能を有することにより、たとえば前述の段差摩耗部に接触する鋼帯についてのみアイドルロールで支持することも可能となるため、スリ疵の発生を防止するとともに、アイドルロールの交換周期の延長が達成できる。
【００１８】
【発明の実施の形態】
つぎに図面の参照しながら本発明の酸洗タンクの鋼帯支持装置について説明する。
【００１９】
図１は、請求項１記載の発明の酸洗タンクの鋼帯支持装置の一実施例を示す鋼帯支持装置を有する酸洗タンクの断面説明図、図２は請求項１記載の固定式の鋼帯支持装置の一実施例を示すダム付近の要部拡大断面説明図、図３は請求項３記載の昇降式の鋼帯支持装置の一実施例を示すダム付近の要部拡大断面説明図、図４は図３の矢視Ｘ図である。
【００２０】
図１には、本実施例の鋼帯支持装置１が適用される酸洗タンクＴの内部が示されている。酸洗タンクＴは、従来の酸洗タンクをそのまま用いるばあい、タンク内部に鋼帯Ｓの進行方向に所定の間隔ごとにダム２１が設けられ、隣接する２基のダム２１によって仕切られた酸洗槽２２には塩酸などの強酸性の洗浄液Ｌが満たされ、また、ダム２１の頂部にダムスキッド２３が配設されている。
【００２１】
鋼帯支持装置１は、前記ダム２１の上流側の近傍の位置において、タンクＴ内部へ送り込まれる鋼帯Ｓをダム２１およびダムスキッド２３に接触しないように支持するためのアイドル回転可能なアイドルロール２が酸洗タンクＴの液面から高さＨ（液面からロール上端までの距離）に回転自在に配設されることにより構成されている。
【００２２】
アイドルロール２は、従来と同様に耐酸性、耐圧性にすぐれたセラミック、とくに好ましくはアルミナ（Ａｌ２Ｏ３）などから作製されている。このロール２は、タンクＴの両端に配設（図１の紙面垂直方向に配設）された支持枠（図示せず）などによって所定の高さＨに回転自在に支持されている。
【００２３】
アイドルロール２の高さＨは、以下のようにして決定される。前記鋼帯Ｓは隣接する２個のアイドルロール２のあいだで垂れ下がるため、鋼帯Ｓの通過軌跡はカテナリー曲線をなす。
【００２４】
このカテナリー曲線をなす鋼帯Ｓとダム２１の頂部（ダムスキッド２３）との間隔Ｇが極力小さく（３００ｍｍ以下）なるように設定される。具体的には、高さＨは、１０〜１００ｍｍ程度の範囲で設定される。
【００２５】
以上のように配設されたアイドルロール２によって、鋼帯Ｓを支持することにより、鋼帯Ｓを支持する高さを洗浄液Ｌの液面近傍に限定することによって、洗浄液Ｌから鋼帯Ｓの露出を最小限に抑えることができる。したがって、鋼帯Ｓの浸漬長さＣが従来のばあい（図５のＡ）と同程度えられるため、従来同様の酸洗効果がえられる。
【００２６】
しかも、アイドルロール２がダム２１の直上ではなく、ダム２１から上流側にずらした位置に設置されているため、直径の大きいアイドルロール２を採用することもできる。したがって、アイドルロール２の耐久性を向上させることができる。
【００２７】
以上のような、高さがあらかじめ設定されたアイドルロール２のばあい、鋼帯Ｓを常時ダム２１およびダムスキッド２３に非接触の状態にしているため、新規にダムを建造するばあい、図２に示されるように、ダムスキッドをもたない簡単な構造のダム２４を採用することができる。このばあい、ダム２４としては、重量のある鋼帯Ｓを支持する必要がないため、タンクＴ内部を分割する機能を奏する程度の比較的薄い板を採用することができる。
【００２８】
つぎに、図３〜４に示される昇降式の鋼帯支持装置１１について説明する。
【００２９】
図３〜４に示される鋼帯支持装置１１は、鋼帯Ｓを支持するためのアイドル回転可能なアイドルロール１２と、該アイドルロール１２を昇降させるための昇降機構１３と、前記ダム２１の頂部に配設されたダムスキッド１４とから構成されている。なお、ダム２１およびダムスキッド１４は、従来のものを採用すればよい。
【００３０】
昇降機構１３は、アイドルロール１２を回転自在に支持するための支持部１５と、支持部１５へ往復駆動力を与えるエアシリンダなどからなる往復駆動部１６と、支持部１５を上下方向に案内する案内部１７とから構成されている。
【００３１】
支持部１５は２本のアーム１８および梁１９を備えており、アーム先端の略Ｕ字状の凹部１８ａには、アイドルロール１２の軸部１２ａを落とし込むことにより装着することができる。
【００３２】
また、図３〜４のアイドルロール１２は、１本の固定軸に酸洗槽２２の幅方向に沿って１０個程度のスリーブリングを装着しており、固定軸外径に対し、スリーブリング内径を大きくすることによって、このスキマに酸洗液が侵入し、液体潤滑を行なうことによって、各ユニット１２ｂの単位で独立して回転することができるようになっているため、鋼帯Ｓの蛇行を防止できる。
【００３３】
図３〜４において、酸洗槽２２の幅方向をみたばあい、アイドルロール１２およびアーム１８は、酸洗槽２２の内側に位置し、一方、往復駆動部１ｂおよび案内部１７は外側に位置している。
【００３４】
図３〜４に示される鋼帯支持装置１１によれば、昇降機構１３を用いてダムスキッド１４近傍のアイドルロール１２を第１高さＨ１（液面から１０〜４００ｍｍ程度）まで上昇させることにより、鋼帯Ｓはダムスキッド１４から離脱する。このとき、アイドルロール１２の第１高さＨ１（液面から１０〜４００ｍｍ程度）は、鋼帯Ｓとダムスキッド１４の間隔が極力小さく（３００ｍｍ以下）なる位置にセットすることにより、従来と同等の高い酸洗効果がえられる。
【００３５】
一方、スリ疵がつかない、またはスリ疵が問題とならない鋼帯Ｓが通過するときは操業中であってもアイドルロール１２の高さを第２高さＨ２（液面から１００〜１０００ｍｍ程度）まで下げ、従来のようなダムスキッド１４による鋼帯支持とする。また、スリ疵を防止したい鋼帯Ｓが通過するときは操業中であってもアイドルロール１２の高さを前記第１高さＨ１へ上げる。
【００３６】
以上のような図３〜４に示される鋼帯支持装置１１のばあい、前述の図１の鋼帯支持装置１と同様に、アイドルロールの耐久性を向上させるとともに、従来同様の酸洗効果がえられる。
【００３７】
しかも、スリ疵の問題が発生しない製品の生産時は操業中であってもアイドルロール１２を下げダムスキッド１４に鋼帯Ｓを預けることができるため、アイドルロール１２の寿命を延ばすことができる。この効果は、アイドルロール１２の寿命がダムスキッド１４の寿命よりもはるかに短いことを考慮して、アイドルロール１２の使用時間を減少させることにより達成されている。
【００３８】
なお、前述の実施例では、図１〜４に示されるアイドルロール２、１２がダム２１の上流側に配置された例をあげた例を示したが、本発明はこれに限定されるものではなく、鋼帯Ｓの走行軌跡がダム頂部に接触しないぎりぎり位置であればアイドルロール２、１２をダム２１の下流側に配置してもよいことはいうまでもない。
【００３９】
【発明の効果】
本発明によれば、アイドルロールの耐久性を低下させることなく、従来と同程度の鋼帯の酸洗効果がえられる。しかも、構造が簡単で安価である。さらに、従来のダムにそのまま適用でき、または新規のダムにあっては簡素化が可能になる。
【００４０】
また、アイドルロールを昇降可能にすれば、前述のごとく、アイドルロールの耐久性および酸洗効果の両立が図られるとともに、さらにはアイドルロールの使用頻度を低減させることにより、アイドルロールの交換周期を延長させることができる。
【図面の簡単な説明】
【図１】請求項１記載の発明の酸洗タンクの鋼帯支持装置の一実施例を示す鋼帯支持装置を有する酸洗タンクの断面説明図である。
【図２】請求項１記載の固定式の鋼帯支持装置の一実施例を示すダム付近の要部拡大断面説明図である。
【図３】請求項３記載の昇降式の鋼帯支持装置の一実施例を示すダム付近の要部拡大断面説明図である。
【図４】図３の矢視Ｘ図である。
【図５】従来の酸洗タンクの断面図である。
【図６】従来の鋼帯支持装置の一例を示す酸洗タンクの断面図である。
【図７】従来の鋼帯支持装置の他の例を示すダム付近の要部拡大斜視図である。
【符号の説明】
１、１１  鋼帯支持装置
２、１２  アイドルロール
１３  昇降機構
１４、２３  ダムスキッド
２１  ダム
Ｓ  鋼帯
【図１】
0003590502.tif 000002
【図２】
0003590502.tif 000003
【図３】
0003590502.tif 000004
【図４】
0003590502.tif 000005
【図５】
0003590502.tif 000006
【図６】
0003590502.tif 000007
【図７】
0003590502.tif 000008